(57)【要約】【課題】外部機器に異常を検出した旨の送信を開始したことを報知することにより、安全上問題がないときに、外部機器の連動動作が行われることを低減できる警報器を提供する。【解決手段】ＣＰＵ３６ａが、ガスセンサ３１からの濃度信号に基づいてガス漏れを検出する。ＣＰＵ３６ａは、ガス漏れ検出を検出すると、「ガスが漏れていませんか？」との音声をスピーカ３３から出力させる。また、ＣＰＵ３６ａは、ガス漏れ検出状態が一定時間以上継続すると、ガスメータ遮断信号を出力すると共に、「ガスが漏れていませんか？」「ガスメータに遮断信号を出力しています」との音声をスピーカ３３から出力させる。【選択図】図４
2016001458.tif 000002
【特許請求の範囲】
【請求項１】
異常を検出する異常検出手段と、前記異常検出手段による異常検出時にその旨を伝える警報を発生する警報発生手段と、前記異常検出手段による異常検出状態が一定時間継続すると、その旨を伝える信号を外部機器に送信する送信手段と、を備えた警報器において、
前記送信手段による前記外部機器への信号送信が開始されたことを報知する第１の報知手段をさらに備えたことを特徴とする警報器。
【請求項２】
前記警報発生手段が、光源を点灯又は点滅の一方にさせることにより前記警報を発生させ、
前記第１の報知手段が、前記光源を点灯又は点滅の他方にさせることにより前記報知を行う
ことを特徴とする請求項１に記載の警報器。
【請求項３】
前記第１の報知手段が、音声により前記報知を行う
ことを特徴とする請求項１又は２に記載の警報器。
【請求項４】
前記外部機器との通信により、前記外部機器が接続されているか否かを判定する接続判定手段を備え、
前記第１の報知手段は、前記接続判定手段により前記外部機器が接続されていないと判定された場合、前記報知を行わない
ことを特徴とする請求項１〜３何れか１項に記載の警報器。
【請求項５】
前記異常検出手段が、ガス漏れを検出するガス漏れ検出手段であり、
前記外部機器が、前記ガス漏れを検出した旨を受信するとガスを遮断するガスメータである
ことを特徴とする請求項１〜４何れか１項に記載の警報器。
【請求項６】
前記ガスメータは、前記ガス漏れを検出した旨を受信してから前記ガスを遮断するまでの時間を、ガスの使用状況によって変更すると共に、前記ガスの使用状況を送信し、
前記ガスメータから前記ガスの使用状況を受信すると、ガスが遮断されるまでの時間を報知する第２の報知手段をさらに
備えたことを特徴とする請求項５に記載の警報器。
【発明の詳細な説明】
【技術分野】
【０００１】
本発明は、警報器に関するものである。
【背景技術】
【０００２】
従来、上述したガス漏れ警報器は、ガス漏れを検出すると、例えば音声で「ガスが漏れていませんか」などの警報を繰り返し出力する。上述したガス漏れ警報器は、ガスメータなどの外部機器が接続されて、ガス漏れ検出が所定時間（例えば３４秒間）継続すると、この外部機器にガス漏れを検出した旨を送信する。
【０００３】
外部機器は、ガス漏れ検出を受信すると、これに連動した連動動作を行う。連動動作の一例としては、例えば、ガスメータの場合、所定時間継続してガス漏れ検出を受信するとガスを遮断する。また、外部機器としては、外部の遮断弁操作器や屋外ブザー、集中監視盤などもあり、これらもガス漏れ検出の受信に連動した連動動作を行う。連動動作としては、遮断弁操作器の場合、ガス配管に設けた遮断弁を弁閉する。屋外ブザーの場合、鳴動し、集中監視盤の場合、ガス漏れを報知する。
【０００４】
実際に、ガス漏れが発生した場合、安全上、外部機器に連動動作を行わせることが望ましい。しかしながら、点検ガスや、ユーザが誤ってヘアスプレー、殺虫剤をガス漏れ警報器に吹き付けたときは、安全上問題がないのに、外部機器が連動動作する恐れがあった。
【発明の概要】
【発明が解決しようとする課題】
【０００５】
そこで、本発明は、外部機器に異常を検出した旨の送信を開始したことを報知することにより、安全上問題がないときに、外部機器の連動動作が行われることを低減できる警報器を提供することを課題とする。
【課題を解決するための手段】
【０００６】
上述した課題を解決するためになされた請求項１記載の発明は、異常を検出する異常検出手段と、前記異常検出手段による異常検出時にその旨を伝える警報を発生する警報発生手段と、前記異常検出手段による異常検出状態が一定時間継続すると、その旨を伝える信号を外部機器に送信する送信手段と、を備えた警報器において、前記送信手段による前記外部機器への信号送信が開始されたことを報知する第１の報知手段をさらに備えたことを特徴とする警報器に存する。
【０００７】
請求項２記載の発明は、前記警報発生手段が、光源を点灯又は点滅の一方にさせることにより前記警報を発生させ、前記第１の報知手段が、前記光源を点灯又は点滅の他方にさせることにより前記報知を行うことを特徴とする請求項１に記載の警報器に存する。
【０００８】
請求項３記載の発明は、前記第１の報知手段が、音声により前記報知を行うことを特徴とする請求項１又は２に記載の警報器に存する。
【０００９】
請求項４記載の発明は、前記外部機器との通信により、前記外部機器が接続されているか否かを判定する接続判定手段を備え、前記第１の報知手段は、前記接続判定手段により前記外部機器が接続されていないと判定された場合、前記報知を行わないことを特徴とする請求項１〜３何れか１項に記載の警報器に存する。
【００１０】
請求項５記載の発明は、前記異常検出手段が、ガス漏れを検出するガス漏れ検出手段であり、前記外部機器が、前記ガス漏れを検出した旨を受信するとガスを遮断するガスメータであることを特徴とする請求項１〜４何れか１項に記載の警報器に存する。
【００１１】
請求項６記載の発明は、前記ガスメータは、前記ガス漏れを検出した旨を受信してから前記ガスを遮断するまでの時間を、ガスの使用状況によって変更すると共に、前記ガスの使用状況を送信し、前記ガスメータから前記ガスの使用状況を受信すると、ガスが遮断されるまでの時間を報知する第２の報知手段をさらに備えたことを特徴とする請求項５に記載の警報器に存する。
【発明の効果】
【００１２】
以上説明したように請求項１記載の発明によれば、第１の報知手段が、外部機器への異常検出の送信が行われたことを報知する。この報知により、例えば警報停止ボタンを押して送信手段による送信を停止させるなど、外部機器の連動動作が行われないようにユーザや作業員が行動できる。このため、点検時など安全上問題がないときに、外部機器の連動動作が行われることを低減できる。
【００１３】
請求項２記載の発明によれば、警報を発生させる光源を流用して簡単にガスメータとの連動が行われたことを報知することができる。
【００１４】
請求項３記載の発明によれば、音声で報知できる。
【００１５】
請求項４記載の発明によれば、外部機器が接続されていない場合、外部機器へ異常検出の送信が行われたことを報知しないようにできる。
【００１６】
請求項５記載の発明によれば、ガスメータが遮断してしまうことを低減することができる。
【００１７】
請求項６記載の発明によれば、ガスが遮断されるまでの時間を知ることできるので、より一層、ガスメータが遮断してしまうことを低減することができる。
【図面の簡単な説明】
【００１８】
【図１】第１実施形態における本発明の警報器としてのガス警報器を示す電気構成図である。
【図２】図１に示すガス警報器を構成するマイコンの処理手順を示すフローチャートである。
【図３】（Ａ）〜（Ｄ）はそれぞれ、赤色ＬＥＤの点灯状態、警報音のオンオフ状態、外部出力送信部の出力状態、ガスメータの遮断弁の開閉状態を示すタイムチャートである。
【図４】第２実施形態における本発明のガス漏れ警報器を示すブロック図である。
【図５】図１に示すガスメータの構成を示すブロック図である。
【図６】図１に示すガス漏れ警報器を構成するＣＰＵの設定処理手順を説明するためのフローチャートである。
【図７】第２実施形態における図１に示すガス漏れ警報器を構成するＣＰＵの警報処理手順を説明するためのフローチャートである。
【図８】第２実施形態における図１に示すガスメータを構成するＣＰＵの連動処理手順を説明するためのフローチャートである。
【図９】第３実施形態における図１に示すガス漏れ警報器を構成するＣＰＵの警報処理手順を説明するためのフローチャートである。
【図１０】第３実施形態における図１に示すガスメータを構成するＣＰＵの連動処理手順を説明するためのフローチャートである。
【発明を実施するための形態】
【００１９】
（第１実施形態）
以下、本発明の警報器としてのガス警報器を図１に基づいて説明する。図１に示すガス警報器１は、ガス漏れを検出したときにその旨を図示しないガスメータに送信し、ガスメータにガスを遮断させる。上記ガス警報器１は、例えば台所などの屋内に設置され、ガスメータは屋外のガス配管に設置されている。
【００２０】
同図に示すように、ガス警報器１は、ガス漏れ（＝異常）を検出する異常検出手段としての検出部２と、検出部２によりガス漏れが検出されるとその旨を警報する警報部３と、が別々の場所に設置された分離型の警報器である。
【００２１】
検出部２は、後述する警報部３から電源供給を受けて動作し、ガス濃度を検出するガス検出部と、ガス検出部からの検出結果に基づいてガス漏れを検出し、ガス漏れを検出すると警報部３にその旨を伝える検出信号を出力するマイクロコンピュータ（何れも図示せず）と、を備えている。
【００２２】
警報部３は、当該警報部３全体の制御を司るマイクロコンピュータ４（以下マイコン４）と、通電時に点灯される緑色ＬＥＤ５Ａと、ガス漏れ（＝異常）検出時に点灯される光源としての赤色ＬＥＤ５Ｂと、ガス漏れを音声で警報するスピーカ６と、ＬＥＤ５Ａ及びＬＥＤ５Ｂを駆動するための表示出力部７と、スピーカ６を駆動するための音声出力部８と、ガスメータに対してガス漏れが発生した旨の警報器入力信号を出力する外部出力送信部９と、ガスメータからのメータアンサ信号を入力する外部入力受信部１０と、警報停止したいときにユーザにより操作される警報停止スイッチ１１と、を備えている。
【００２３】
上記マイコン４は、周知のＣＰＵ、ＲＯＭ、ＲＡＭから構成されていて、警報処理部４Ａと、外部出力処理部４Ｂと、外部入力処理部４Ｃと、記憶部４Ｄと、スイッチ処理部４Ｅと、を備えている。警報処理部４Ａは、表示出力部７及び音声出力部８を制御する。警報処理部４Ａは、検出部２からの検出信号を受信すると、表示出力部７及び音声出力部８を制御してその旨を伝える警報を発生させる。
【００２４】
外部出力処理部４Ｂは、正常時に外部出力送信部９から０Ｖの無電圧を出力させ、ガス漏れ検出時に外部出力送信部９から有電圧（＞０Ｖ）である警報器入力信号を出力させる。外部入力処理部４Ｃは、外部入力受信部１０にガスメータからのメータアンサ信号を入力させる。記憶部４Ｄは、上記ＲＡＭ、ＲＯＭなどから構成され、マイコン４の処理に必要なデータなどが格納されている。スイッチ処理部４Ｅは、警報停止スイッチ１１のオンオフを検出する。
【００２５】
次に、上述した構成のガス警報器１の動作について図２及び図３を参照して説明する。図２は、図１に示すガス警報器１を構成するマイコン４の処理手順を示すフローチャートである。図３（Ａ）〜図３（Ｄ）はそれぞれ、赤色ＬＥＤ５Ｂの点灯状態、警報音のオンオフ状態、外部出力送信部９の出力状態、ガスメータの遮断弁の開閉状態を示すタイムチャートである。
【００２６】
ガス警報器１に電源を投入すると、マイコン４は、動作を開始して、まず、緑色ＬＥＤ５Ａを常時点灯させる（ステップＳ１）。その後、マイコン４は、検出部２から検出信号の入力に基づいて、ガス漏れが発生しているか否かを判定する（ステップＳ２）。マイコン４は、検出部２から検出信号が入力され、ガス漏れが発生していると判定すると（ステップＳ２でＹ）、警報発生手段として機能し、赤色ＬＥＤ５Ｂを常時点灯させると共にスピーカ６から警報音を発生させて警報を開始する（ステップＳ３、図３（Ａ）、（Ｂ））。
【００２７】
マイコン４は、警報停止スイッチ１１も操作されず（ステップＳ４でＮ）、ガス漏れ検出状態が一定時間以上継続すると（ステップＳ５でＮ、かつ、ステップＳ６でＹ）、送信手段として機能し、外部出力送信部９からガスメータに対して有電圧である警報器入力信号を出力する（ステップＳ７、図３（Ｃ））。
【００２８】
その後、マイコン４は、報知手段として機能し、ガスメータに有電圧を出力した旨を報知するために赤色ＬＥＤ５Ｂを点滅させた後（ステップＳ８、図３（Ａ））、ステップＳ４に戻る。ガスメータ側では、有電圧の出力が所定時間以上継続すると、遮断弁を閉めてガスを遮断する（図３（Ｄ））。
【００２９】
一方、警報を停止させるためユーザが警報停止スイッチ１１をオンすると（ステップＳ４でＹ）、マイコン４は、警報音を停止させると共に外部出力送信部９から有電圧の出力を停止させて無電圧を出力し、赤色ＬＥＤ５Ｂを常時点灯させた後（ステップＳ９）、ステップＳ５に進む。
【００３０】
また、マイコン４は、ガス漏れ発生を判定した後に（ステップＳ２でＹ）、検出部２からの検出信号が入力されず、ガス漏れは発生していないと判定されると（ステップＳ５でＹ）、警報音を停止させ、赤色ＬＥＤ５Ｂを消灯させると共に外部出力送信部９から有電圧の出力を停止させて無電圧を出力させた後（ステップＳ１０）、ステップＳ２に戻る。
【００３１】
上述した実施形態によれば、マイコン４が、赤色ＬＥＤ５Ｂを点滅させて、ガスメータへの有電圧の出力が開始されたことを報知するので、ガスメータとの連動が行われたことを確認することができる。
【００３２】
これにより、例えばガス警報器１の点検をするためにガスを吹き付けた際に、赤色ＬＥＤ５Ｂの点滅によりガスメータとの連動が行われたことを確認すると、ガスの吹き付けをやめたり、警報停止スイッチ１１を操作して、ガスメータの遮断が行われるのを防ぐことができる。
【００３３】
上述した実施形態によれば、マイコン４が、赤色ＬＥＤ５Ｂを点滅させることにより、ガスメータとの連動が行われことの報知を行うことにより、ガス漏れ警報を行うための赤色ＬＥＤ５Ｂを流用して簡単にガスメータとの連動が行われたことを報知することができる。
【００３４】
なお、上述した実施形態によれば、赤色ＬＥＤ５Ｂを点滅させてガスメータとの連動を報知していたが、これに限ったものではない。ガスメータとの連動を報知できればよく、赤色ＬＥＤ５Ｂとは別のＬＥＤを設けて、報知したり、音声報知することも考えられる。
【００３５】
また、上述した実施形態によれば、警報器としては、ガス漏れを警報するガス警報器であったが、これに限ったものではない。ガスメータと連動する警報器であればよく、例えば、火災を警報する火災警報器であってもよいし、火災及びガス漏れを警報する複合警報器であってもよいし、ＣＯを警報するＣＯ警報器であってもよい。即ち、請求項中の異常としては、それが生じたときにガスを遮断させた方が良いような異常であればよい。
【００３６】
また、上述した実施形態によれば、ガス警報器１としては分離型のものを用いていたが、これに限ったものではない。検出部２と警報部３とが一体のものであってもよい。
【００３７】
また、上述した実施形態によれば、警報時に赤色ＬＥＤ５Ｂを常時点灯、ガスメータとの連動報知時に赤色ＬＥＤ５Ｂを点滅させていたが、これに限ったものではない。逆に、警報時に赤色ＬＥＤ５Ｂを点滅、ガスメータとの連動報知時に赤色ＬＥＤ５Ｂを常時点灯させるようにしてもよい。
【００３８】
（第２実施形態）
以下、第２実施形態における本発明のガス漏れ警報器について図４を参照して説明する。図４に示すガス漏れ警報器３０は、検出部及び警報部一体の一体型ガス漏れ警報器である。上記ガス漏れ警報器３０は、例えば台所などの屋内に設置され、ガスメータ４０は屋外のガス配管５０に設置されている。
【００３９】
同図に示すように、ガス漏れ警報器３０は、ガスセンサ３１と、通信部３２と、スピーカ３３及びＬＥＤ３４と、警報停止ボタン３５と、マイコン３６と、を備えている。
【００４０】
ガスセンサ３１は、接触燃焼式センサなどから構成され、ＣＯやＣＨ4などの検出対象ガスのガス濃度に応じた濃度信号をマイコン３６に出力する。通信部３２は、マイコン３６により制御され、後述する外部機器としてのガスメータ４０との通信を行うために設けられている。通信部３２は、不図示のインタフェース及び通信線Ｌを介してガスメータ４０に接続されている。
【００４１】
スピーカ３３は、マイコン３６により制御され、ガス漏れが発生した旨の警報などを音声で発生する。ＬＥＤ３４は、マイコン３６により制御され、ガス漏れが発生した旨の警報などを点灯することにより発生する。警報停止ボタン３５は、スピーカ３３やＬＥＤ３４からガス漏れ警報が発生しているときに、操作して警報を停止させるための操作手段である。
【００４２】
マイコン３６は、ガス漏れ警報器３０全体の制御を司るコンピュータである。マイコン３６は、予め定めたプログラムに従って各種の処理や制御などを行う中央処理ユニット（ＣＰＵ）３６ａと、ＣＰＵ３６ａのためのプログラム等を格納した読み出し専用メモリであるＲＯＭ３６ｂと、各種のデータを格納すると共にＣＰＵ３６ａの処理作業に必要なエリアを有する読み出し書き込み自在のメモリであるＲＡＭ３６ｃと、を有している。
【００４３】
上記ガスメータ４０は、ガス配管５０に接続され、ガス配管５０に流れるガス流量を積算して、表示する周知のガスメータである。図５に示すように、ガスメータ４０は、流量センサ４１と、遮断弁４２と、表示部４３と、通信部４４と、マイコン４５と、を備えている。
【００４４】
流量センサ４１は、ガス配管５０に流れるガス流量を検出して、マイコン４５に出力する。遮断弁４２は、マイコン４５により制御され、ガス配管５０に流れるガスを遮断する。表示部４３は、マイコン４５により制御され、流量センサ４１により検出されたガス流量の積算値を表示する。通信部４４は、マイコン４５により制御され、ガス漏れ警報器３０との通信を行うために設けられている。通信部４４は、不図示のインタフェース及び通信線Ｌを介してガス漏れ警報器３０に接続されている。
【００４５】
マイコン４５は、ガスメータ４０全体の制御を司るコンピュータである。マイコン４５は、予め定めたプログラムに従って各種の処理や制御などを行う中央処理ユニット（ＣＰＵ）４５ａと、ＣＰＵ４５ａのためのプログラム等を格納した読み出し専用メモリであるＲＯＭ４５ｂと、各種のデータを格納すると共にＣＰＵ４５ａの処理作業に必要なエリアを有する読み出し書き込み自在のメモリであるＲＡＭ４５ｃと、を有している。
【００４６】
次に、上述した構成のガス漏れ警報器３０の動作について図６及び図７を参照して説明する。ＣＰＵ３６ａは、電池投入などの電源オンに応じて図６に示す設定処理を開始する。ガスメータ４０は、通信部４４を介して間欠的に（例えば１０分間隔）アンサー信号を出力している。設定処理においてガス漏れ警報器３０のＣＰＵ３６ａはまず、ガスメータ４０からのアンサー信号を受信できるか否かを判定する（ステップＳ２１）。
【００４７】
ＣＰＵ３６ａは、接続判定手段として働き、間欠間隔である例えば１０分の間にアンサー信号を受信すると（ステップＳ２１でＹ）、ガスメータ４０と接続していると判定し、遮断信号開始お知らせ機能を有効に設定して（ステップＳ２２）、ステップＳ２１に戻る。これに対して、ＣＰＵ３６ａは、間欠間隔である例えば１０分の間に１回もアンサー信号を受信しないと（ステップＳ２１でＮ）、ガスメータ４０と接続していないと判定し、遮断信号開始お知らせ機能を無効に設定して（ステップＳ２３）、ステップＳ２１に戻る。
【００４８】
また、ＣＰＵ３６ａは、電源オン後、図７に示す警報処理を開始する。ＣＰＵ３６ａは、異常検出手段として働き、ガスセンサ３１からの濃度信号を取り込んで、ガス漏れを検出したか否かを判定する（ステップＳ３０）。ＣＰＵ３６ａは、濃度信号が閾値を超えるなどガス漏れを検出すると（ステップＳ３０でＹ）、警報発生手段として働き、スピーカ３３を制御して「ガスが漏れていませんか？」との音声警報の発生する（ステップＳ３１）。なお、ステップＳ３０においては、実際のガス漏れだけでなく、点検ガスや殺虫剤、ヘアスプレーなどが吹き付けられたときも濃度信号が上昇してガス漏れが検出される。
【００４９】
次に、ＣＰＵ３６ａは、ガス漏れ検出状態（＝異常検出状態）が一定時間（本実施形態では３４秒）継続したか否かを判定する（ステップＳ３２）。３４秒継続していなければ（ステップＳ３２でＮ）、ＣＰＵ３６ａは、再びステップＳ３０に戻る。一方、３４秒継続していれば（ステップＳ３２でＹ）、ＣＰＵ３６ａは、送信手段として働き、通信部３２を介してガスメータ４０にガスメータ遮断信号を送信する（ステップＳ３３）。
【００５０】
次に、ＣＰＵ３６ａは、遮断信号開始お知らせ機能が有効に設定されているか否かを判定する（ステップＳ３４）。有効に設定されていれば（ステップＳ３４でＹ）、ＣＰＵ３６ａは、警報発生手段及び第１の報知手段として働き、スピーカ３３を制御して「ガスが漏れていませんか？」、「ガスメータに遮断信号を出力しています」との音声警報及び音声報知を発生した後（ステップＳ３５）、ステップＳ３７に進む。
【００５１】
一方、無効に設定されていれば（ステップＳ３４でＮ）、ＣＰＵ３６ａは、スピーカ３３を制御して「ガスが漏れていませんか？」との音声警報のみの発生を開始した後（ステップＳ３６）、ステップＳ３７に進む。ステップＳ３６において、ＣＰＵ３６ａは、「ガスメータに遮断信号を出力しています」との音声報知は出力しない。
【００５２】
次に、ステップＳ３７を説明する前に、ガスメータ４０が行う図８に示す連動処理について説明する。ガスメータ４０内のＣＰＵ４５ａは、ガス漏れ警報器３０からのガスメータ遮断信号を受信すると図８に示す連動処理を開始する。
【００５３】
連動処理において、ＣＰＵ４５ａは、流量センサ４１からの検出値に基づいてガス機器が使用されているか否かを判定する（ステップＳ４０）。ガス機器が使用されていると判定すると（ステップＳ４０でＹ）、ＣＰＵ４５ａは、ガス漏れ警報器３０からのガスメータ遮断信号の受信を開始してから１０秒経過した後、遮断弁４２を弁閉に制御して、ガスを遮断すると共に（ステップＳ４１）、ガス漏れ警報器３０に対してその旨を伝えるガスメータ遮断信号を送信して（ステップＳ４３）、連動処理を終了する。
【００５４】
一方、ガス機器が使用されていないと判定すると（ステップＳ４０でＮ）、ＣＰＵ４５ａは、ガス漏れ警報器３０からのガスメータ遮断信号の受信を開始してから４分経過した後、遮断弁４２を弁閉に制御してガスを遮断すると共に（ステップＳ４２）、ガス漏れ警報器３０に対してその旨を伝えるガスメータ遮断信号を送信して（ステップＳ４３）、連動処理を終了する。なお、ＣＰＵ４５ａは、ガス漏れ警報器３０からのガスメータ遮断信号が受信されなくなると、ガスメータ４０を遮断する前であっても、連動処理を終了する。
【００５５】
話をガス漏れ警報器３０の動作に戻す。図７に示すように、ガス漏れ警報器３０のＣＰＵ３６ａは、ガスメータ４０からガスメータ遮断信号を受信すると（ステップＳ３７）、スピーカ３３を制御して「ガスが漏れていませんか？」「ガスを止めました」との音声警報及び音声報知の発生を開始した後（ステップＳ３８）、ステップＳ３０に戻る。ガスメータ４０からのガスメータ遮断信号が受信されない間は（ステップＳ３７）、ＣＰＵ３６ａは、再びステップＳ３０に戻る。なお、ＣＰＵ３６ａは、警報停止ボタン３５が押されると、一時的に図７に示す警報処理を停止する。これにより、音声警報及び音声報知、ガスメータ遮断信号の送信が停止される。
【００５６】
上述した実施形態によれば、ガス漏れ警報器３０のＣＰＵ３６ａは、ガス漏れ検出状態が一定時間継続すると、ガスメータ４０へガスメータ遮断信号を送信し、「ガスメータに遮断信号を出力しています」との音声報知（＝外部機器への異常検出の送信の報知）を行うことにより、ガスメータ遮断信号を送信した旨を報知している。
【００５７】
この「ガスメータに遮断信号を出力しています」との報知が出力することにより、点検ガスや、ヘアスプレー、殺虫剤を吹き付けたユーザや作業員が、警報停止ボタン３５を押して警報処理を強制的に終了し、ガスメータ４０へのガスメータ遮断信号の送信を停止させて、ガスメータ４０の遮断が行われないように行動できる。このため、点検時など安全上問題がないときに、ガスメータ４０の遮断が行われることを低減できる。
【００５８】
また、上述した実施形態によれば、ガス漏れ警報器３０のＣＰＵ３６ａは、設定処理においてガスメータ４０が接続されているか否か判定し、接続されていないと判定された場合、「ガスメータに遮断信号を出力しています」との報知を行わない。このため、ガスメータ４０に接続されていない場合、「ガスメータに遮断信号を出力しています」との報知をしないようにできる。
【００５９】
（第３実施形態）
以下、第３実施形態における本発明のガス漏れ警報器について説明する。第３実施形態におけるガス漏れ警報器３０の構成は第２実施形態で既に説明した図４に示す構成と同じであるため、ここでは詳細な説明を省略する。
【００６０】
第３実施形態における本発明のガス漏れ警報器３０の動作について図９及び図１０を参照して説明する。なお、図９及び図１０において、第２実施形態で既に説明した図７及び図８に示す処理と同等の部分には同一符号を付してその詳細な説明を省略する。図１０に示すように、ガスメータ４０は、ガス漏れ警報器３０からガスメータ遮断信号を受信してから遮断するまでの時間を、ガスの使用状況によって変更している。
【００６１】
そこで、第３実施形態では、図１０に示すように、ガスメータ４０のＣＰＵ４５ａは、ガス機器が使用されていると判定した場合（ステップＳ４０でＹ）、流量「有り」信号をガス漏れ警報器３０に送信してから（ステップＳ６０）、ステップＳ４１に進む。一方、ガスメータ４０のＣＰＵ４５ａは、ガス機器が使用されていないと判定した場合（ステップＳ４０でＮ）、流量「なし」信号をガス漏れ警報器３０に送信してから（ステップＳ６１）、ステップＳ４２に進む。この流量「有り」信号又は流量「なし」信号がガスの使用状況を示す。
【００６２】
図９に示すように、ガス漏れ警報器３０のＣＰＵ３６ａは、ガスメータ４０にガスメータ遮断信号を送信して（ステップＳ３３）、ステップＳ３４〜Ｓ３６に進んだ後、ガスメータ４０から流量「有り」信号を受信したか否かを判定する（ステップＳ５０）。流量「有り」信号を受信すると（ステップＳ５０でＹ）、ＣＰＵ３６ａは、第１及び第２の報知手段として働き、「ガスが漏れていませんか？」「あと１０秒後にガスメータが遮断します」との音声報知を開始させた後（ステップＳ５１）、ステップＳ３７に進む。
【００６３】
一方、流量「なし」信号を受信すると（ステップＳ５０でＮ）、ＣＰＵ３６ａは、第１及び第２の報知手段として働き、「ガスが漏れていませんか？」「あと数分後にガスメータが遮断します」との音声報知を開始させる（ステップＳ５２）。その後、ＣＰＵ３６ａは、例えば、流量「なし」信号を受信してから３分間経過して遮断まで残り１分未満であると判定すると（ステップＳ５３でＹ）、「ガスが漏れていませんか？」「もうすぐガスメータが遮断します」との音声報知を行った後（ステップＳ５４）、ステップＳ３７に進む。
【００６４】
上述した第３実施形態によれば、ガスメータ４０は、ガス漏れ警報器３０に対してガスの使用状況を示す流量「有り」信号又は流量「なし」信号を送信し、ガス漏れ警報器３０のＣＰＵ３６ａが、ガスメータ４０から流量「有り」信号又は流量「なし」信号を受信するとその信号から遮断までの時間を求めて、求めた時間を報知している。
【００６５】
これにより、ガスが遮断されるまでの時間を知ることできるので、ユーザや作業員は、すぐにガスが遮断されるか、まだ遮断まで余裕があるのかを認識できるため、より一層、ガスメータが遮断してしまうことを低減することができる。
【００６６】
なお、上述した実施形態によれば、警報器としては、ガス漏れを警報するガス警報器であったが、これに限ったものではない。ガスメータなどの外部機器と連動する警報器であればよく、例えば、火災を警報する火災警報器であってもよいし、火災及びガス漏れを警報する複合警報器であってもよい。即ち、請求項中の異常としては、それが生じたときに外部機器に連動動作をさせた方が良いような異常であればよい。
【００６７】
また、上述した実施形態によれば、外部機器としては、ガスメータを一例としてい挙げていたが、これに限ったものではない。外部機器としては、背景技術でも説明したように、外部の遮断弁操作器や屋外ブザー、集中監視盤などでもよい。なお、これらの連動動作としては、遮断弁操作器の場合、ガス配管に設けた遮断弁を弁閉、屋外ブザーの場合、鳴動、集中監視盤の場合、ガス漏れを報知となる。
【００６８】
また、上述した実施形態によれば、ガス漏れの警報としては、音声による警報であったが、これに限ったものではない。ブザーを鳴動させてガス漏れを警報してもよい。
【００６９】
また、上述した実施形態によれば、ガス漏れ警報器３０はガスメータ４０に遮断信号を送信することにより、ガス漏れ検出の旨を送信していたが、これに限ったものではない。例えば、ガスメータ４０と接続する端子を無電圧出力から有電圧出力に切り返すことにより送信するようにしてもよい。また、ガスメータ４０と通信部をａ接点出力としてもよい。
【００７０】
また、上述した実施形態によれば、ガス漏れ警報器３０のＣＰＵ３６ａは、ガスメータ４０が接続されていないと判定した場合は「ガスメータに遮断信号を出力しています」との報知を行わないようにしていたが、これに限ったものではない。ガス漏れ警報器３０がガスメータ４０からの信号を受信できない場合は、接続の有無に関係なく「ガスメータに遮断信号を出力しています」との報知するようにしてもよい。
【００７１】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００７２】
３０  ガス漏れ警報器（警報器）
３６ａ  ＣＰＵ（異常検出手段、警報発生手段、送信手段、第１の報知手段、接続判定手段、ガス漏れ検出手段、第２の報知手段）
４０  ガスメータ
【図１】
2016001458.tif 000003
【図２】
2016001458.tif 000004
【図３】
2016001458.tif 000005
【図４】
2016001458.tif 000006
【図５】
2016001458.tif 000007
【図６】
2016001458.tif 000008
【図７】
2016001458.tif 000009
【図８】
2016001458.tif 000010
【図９】
2016001458.tif 000011
【図１０】
2016001458.tif 000012